(57)【要約】【課題】靴及び足元を雨水や泥水等により濡れたり汚れたりするのを防止するとともに、靴の爪先部分の上方への浮き上がりを防止し、かつ取り外す際に取り外しが容易な靴カバーを提供することにある。【解決手段】防水性シートからなり、かつ人が靴を履いた状態で靴のアッパー２００をすっぽり覆うように人の足に装着される靴カバー１である。この靴カバー１は、アッパー２００をすっぽり覆うカバー部１０と、カバー部１０に設けられるとともに人の足１００にカバー部１０を着脱自在に係合するための綿ファスナー１１、１２、１３、１４とを備える。カバー部１０には、開口部１０Ａの爪先側にゴムバンド５と、開口部１０Ａの土踏まず近辺にバックル付きバンド６と、が取り付けられている。【選択図】図１
2008149046.tif 000002
【特許請求の範囲】
【請求項１】
防水性シートからなり、かつ人が靴を履いた状態で靴のアッパーをすっぽり覆うように人の足に装着される靴カバーであって、
上記アッパーをすっぽり覆うカバー部と、
上記カバー部に設けられるとともに人の足に上記カバー部を着脱自在に係合するための綿ファスナーと、を備え、
上記カバー部は、人に装着した状態で靴底側に開口部が形成されるものであり、
上記カバー部には、
伸縮部材からなり、かつ上記開口部の爪先側にこの開口部間を横架するように取り付けられた第１のバンドと、
簡易着脱機構であるバックルを有するとともに、上記開口部の土踏まず近辺にこの開口部間を横架するように取り付けられた第２のバンドと、が取り付けられている
ことを特徴とする靴カバー。
【請求項２】
上記カバー部は、
上記アッパーをすっぽり覆う第１のシート部と、
この第１のシート部に連接されるとともに、人の足首に巻きつくようにして人に対し装着される第２のシート部と、からなり、
上記第１のシート及び上記第２のシートは、人の踵側において上下２段に別離で構成されているとともに上記綿ファスナーによって個別に係合可能である
ことを特徴とする請求項１に記載の靴カバー。
【請求項３】
上記第１のバンド及び上記第２のバンドは、ともにゴム素材からなる
ことを特徴とする請求項１あるいは２に記載の靴カバー。
【発明の詳細な説明】
【技術分野】
【０００１】
本発明は、靴及び足元が雨水や泥水等で濡れたり汚れたりするのを防止する携帯可能な靴カバーに関する。
【背景技術】
【０００２】
従来、靴及び足元が雨水や泥水等で濡れたり汚れたりするのを防止する靴カバーとして、例えば特許文献１に記載の靴カバーがある。以下、カッコ内の符号は特許文献１に記載の符号である。この靴カバーは、靴（６）底付近からこの靴（６）を履いたときのズボン（７）裾より上方内部に及ぶ高さを持つ略靴形の防水シート（１）からなる。この防水シート（１）には、これを靴（６）周辺に着脱可能に保持するための着脱部材（３）（４）であるマジックファスナー（登録商標）が設けられているとともに、この防水シート（１）の下端には、靴（６）底の下端に当てがわれるゴムバンド（５）が設けられており、このゴムバンド（５）により防水シート（１）が靴の上方へ浮き上がるのを規制している。
【０００３】
【特許文献１】実登３０１５３７４号公報
【発明の開示】
【発明が解決しようとする課題】
【０００４】
しかしながら、この靴カバーにおいては、ゴムバンド（５）が土踏まず近傍の１箇所にしか設けられておらず、靴の爪先部分の上方への浮き上がりを有効に防止することが出来なかった。また、このゴムバンド（５）は土踏まず近傍で防水シート（１）に縫合されているので、靴カバーを取り外す際に取り外しが面倒であった。
【０００５】
本発明は、従来技術にみられた上記課題に鑑みてなされたものであり、その目的は、靴及び足元を雨水や泥水等により濡れたり汚れたりするのを防止するとともに、靴の爪先部分の上方への浮き上がりを防止し、かつ取り外す際に取り外しが容易な靴カバーを提供することにある。
【課題を解決するための手段】
【０００６】
上記目的を達成するために、本発明は、防水性シートからなり、かつ人が靴を履いた状態で靴のアッパーをすっぽり覆うように人の足に装着される靴カバーであって、上記アッパーをすっぽり覆うカバー部と、上記カバー部に設けられるとともに人の足に上記カバー部を着脱自在に係合するための綿ファスナーと、を備え、上記カバー部は、人に装着した状態で靴底側に開口部が形成されるものであり、上記カバー部には、伸縮部材からなり、かつ上記開口部の爪先側にこの開口部間を横架するように取り付けられた第１のバンドと、簡易着脱機構であるバックルを有するとともに、上記開口部の土踏まず近辺にこの開口部間を横架するように取り付けられた第２のバンドと、が取り付けられていることを特徴とする。
【０００７】
上記カバー部は、上記アッパーをすっぽり覆う第１のシート部と、この第１のシート部に連接されるとともに、人の足首に巻きつくようにして人に対し装着される第２のシート部と、からなり、上記第１のシート及び上記第２のシートは、人の踵側において上下２段に別離で構成されているとともに上記綿ファスナーによって個別に係合可能であるようにしてもよい。
【０００８】
上記第１のバンド及び上記第２のバンドは、ともにゴム素材からなることを特徴とする。
【発明の効果】
【０００９】
以上説明したように本発明によれば、防水性の靴カバーにおいて、靴のアッパーをすっぽり覆うカバー部と、伸縮部材からなり、かつ靴カバーの開口部の爪先側にこの開口部間を横架するように取り付けられた第１のバンドと、簡易着脱機構であるバックルを有するとともに、上記開口部の土踏まず近辺にこの開口部間を横架するように取り付けられた第２のバンドと、を有するように構成した。これにより、靴及び足元を雨水や泥水等により濡れたり汚れたりするのを防止することが可能となり、更に、靴の爪先部分の上方への浮き上がりを防止し、かつ取り外しも容易に行える。
【発明を実施するための最良の形態】
【００１０】
以下、本発明の実施形態について、添付した図面を参照しながら説明する。図１は本発明の靴カバーの使用状態を示す平面図、図２は第１のシート及び第２のシートを示す分解図であり（ａ）は第２のシートの平面図、（ｂ）及び（ｃ）は第１のシートの平面図、図３はバックルを示す図であり、（ａ）は雄バックル部を示す斜視図、（ｂ）は雌バックル部を示す斜視図、図４はバックルの結合状態を示す断面図、図５は本発明の靴カバーの取り付け方を説明するための平面図である。
【００１１】
本発明の靴カバーの概略を述べると、図１に示すように、本発明の靴カバー１は、雨４００などから靴が汚れたり足が濡れたりするのを防止すべく靴のアッパー２００に被せて使用するものである。この靴カバー１は、ゴムバンド５及びバックル付きゴムバンド６を用いて靴底に止めた後、綿ファスナー１１、１２、１３、１４を用いて人の足１００に装着される。人がズボン３００を履いていた場合には、この靴カバー１は足１００に装着された状態で図１に示すようにズボン３００の裾内に収容される。なお、この靴カバー１はカバンなどに折り畳んで専用の袋に入れて携帯しておき、雨などが降った際に取り出して使用することが可能である。
【００１２】
次いで、靴カバー１の構成について説明する。
【００１３】
図１に示すように、靴カバー１は、カバー部１０と、このカバー部１０に取り付けられたゴムバンド５（第１のバンド）と、バックル付きバンド６（第２のバンド）とからなる。
【００１４】
カバー部１０は、防水性のシート材からなる。靴や足が雨などで濡れたりしないような防水性の素材であれば材質は問わない。また、靴カバー１は携帯可能であることから、このカバー部１０は柔軟で折りたたみ容易である素材から形成される。また、カバー部１０は、図２に示すように足首カバー片２（第２のシート）と、第１アッパーカバー片３及び第２アッパーカバー片４（第１のシート）とが、縫製により結合されて構成されている。具体的には次のようにしてカバー部１０は製造される。
【００１５】
まず、足首カバー片２、第１アッパーカバー片３及び第２アッパーカバー片４それぞれに綿ファスナー１１、１４、１２、１３を縫製により取り付ける。綿ファスナー１１は足首カバー片２の裏面側、綿ファスナー１４は足首カバー片２の表面側、綿ファスナー１２は第１アッパーカバー片３の裏面側、綿ファスナー１３は第２アッパーカバー片４の表面
側にそれぞれ縫製されるとともに、靴カバー１を足１００に装着した際に、綿ファスナー１４と綿ファスナー１１とが係合し、綿ファスナー１３と綿ファスナー１２とが係合するように縫製される。なお、この綿ファスナー１１、１４、１２、１３は、マジックテープ（登録商標）からなる。
【００１６】
次いで、バイアステープ（図示しない）を図２の太線部分（縫製部１５、１６、１７、１８、１９がない各カバー片２、３、４の周縁）に縫製する。バイアステープを縫製することにより、各カバー片２、３、４の周縁のほつれ止めとなる。また、バイアステープは種々の色、デザインのものがあり、このバイアステープを縫製することにより靴カバー１のデザイン性も向上する。なお、このバイアステープは製造側において任意に縫製すればよい。
【００１７】
次に、第１アッパーカバー片３と第２アッパーカバー片４とを縫製する。この際、第１アッパーカバー片３と第２アッパーカバー片４の表面側を向かい合わせた状態で、縫製部
１６と縫製部１３とが、縫製部１７と縫製部１９とがそれぞれ一致するようにして重ね合わせて縫製する。この状態のまま、第１アッパーカバー片３及び第２アッパーカバー片４の双方に足首カバー片２を縫製する。この際、足首カバー片２の裏面側を表向きにした状態で折り線Ｌの位置で山折りにし、縫製部１５Ａと縫製部１６とが、縫製部１５Ｂと縫製部１８とがそれぞれ一致するようにして重ね合わせて縫製する。
【００１８】
上記縫製が終了すると、足首カバー片２、第１アッパーカバー片３及び第２アッパーカバー片４が全て結合され、カバー部１０が完成する。ただし、この状態ではカバー部１０は裏面側が表出した状態となっているので、表面側が表出するように全体をひっくり返す。すると、カバー部１０は下方、すなわち足に装着した際に靴底側に相当する位置に開口部１０Ａが形成される。このようにして製造されたカバー部１０においては、踵側において第１アッパーカバー片３と第２アッパーカバー片４とが上下２段に別離で構成されており、それぞれは上記綿ファスナー１１、１４、１２、１３によって個別に係合可能となっている。なお、上記説明したカバー部１０の製造方法は、１つの例でありこれに限定されるものではない。また、カバー部１０を足首カバー片２、第１アッパーカバー片３及び第２アッパーカバー片４の３つの部材で構成したがこれに限定されるものではない。カバー部１０は、靴のアッパー２００をすっぽり覆うことが可能な防水性のシートであれば種々の構成が適用可能である。
【００１９】
次いで、第１アッパーカバー片３及び第２アッパーカバー片４の所定の位置にゴムバンド５とバックル付きバンド６を縫製により取り付ける。図１に示すようにゴムバンド５は靴カバー１を足１００に装着した状態における開口部１０Ａの爪先側の爪先底部２０２に横架するように縫製される。同様に、バックル付きバンド６は一端が開口部１０Ａの土踏まず近辺、すなわち、爪先底部２０２と踵底部２０１との間の窪んだ箇所に横架するように縫製され、他端は、第２アッパーカバー片４の表面側の所定の位置に縫製される。
【００２０】
ここで、本実施形態においては、ゴムバンド５は伸縮自在のゴム素材からなる。また、バックル付きバンド６は、第１のゴムバンド６Ａと第２のゴムバンド６Ｂとからなり、第１のゴムバンド６Ａの先端には雄バックル部７が、第２のゴムバンド６Ｂには雌バックル部８がそれぞれ縫製により取り付けられている。雄バックル部７と雌バックル部８とは嵌め込み自在に形成されており、双方で止め具であるバックルとなる。なお、本実施形態においては、第１のゴムバンド６Ａも第２のゴムバンド６Ｂもともに伸縮素材であるゴム素材で形成するとしたが、必ずしも伸縮部材でなくてもよいしゴム素材でなくてもよい。
【００２１】
次に、バックルの構造について図３及び図４を参照して説明する。
【００２２】
バックルは図３に示すように雄バックル部７と雌バックル部８とからなる。なお以下の説明において、バックルの厚み方向を上下方向とし、雄バックル部７において雌バックル部８と反対側を雄バックル部７の先端側、雌バックル部８側を雄バックル部７の基端側とし、さらに、雌バックル部８において、雄バックル部７とは反対側を雌バックル部８の基端側、雄バックル部７側を雌バックル部８の先端側とする。
【００２３】
雄バックル部７は、雄バックル部本体７１と、この雄バックル部本体７１の先端側端面から連結方向へ延設された舌状部７２と、舌状部７２の上面から上方に突出され、かつ、基端側面において上下方向に沿う第１被係止面７４が形成された第１凸部７３と、舌状部７２の両側面からそれぞれ幅方向に突出された第２凸部７５と、この第２凸部７５の基端側面において幅方向に沿って形成された第２被係止面７６とを有して構成される。
【００２４】
他方、雌バックル部８は、雌バックル部本体８１と、この雌バックル部本体８１の先端側端面に開口するとともに、この開口から基端側に向かって形成され、舌状部７２およびガイド脚７１２が差込まれる差込孔８２と、この差込孔８２に設けられ、かつ、基端側において、上下方向に沿うとともに第１被係止面７４と係合する第１係止面８４が形成された第１段部８３と、差込孔８２に設けられ、かつ、基端側において、幅方向に沿うとともに第２被係止面７６と係合する第２係止面８６が形成された第２段部８５とを有して構成されている。雌バックル部８には抑え片８１５が設けられており、雄バックル部７と雌バックル部８との連結状態において雄バックル部７の受け面７１４と上下方向に対向して嵌合するように形成されている。
【００２５】
これら雄バックル部７と雌バックル部８とを連結させるには、図４に示すように、まず、雄バックル部７および雌バックル部８を手に持ち、雄バックル部７の舌状部７２およびガイド脚７１２を、雌バックル部８の先端側開口から差込孔８２へ差込む。このとき、ガイド脚７１２の脚部７１３が差込まれやすいように、雄バックル部７の先端部を、基端部よりも下方へ傾けながら行う。下方に折れ曲がった脚部７１３は、差込孔８２の下内面を摺動する。これにより、舌状部７２は、上方へ付勢され、第１凸部７３の上面が差込孔８２の上内面に摺動されながら差込まれるとともに、雄バックル部本体７１の受け面７１４と、雌バックル部本体８１の抑え片８１５とが、上下方向に対向して嵌合される。脚部７１３は、差込孔８２の下内面に当接しているので、舌状部７２は上方へ付勢されている。さらに、第１被係止面７４および第１係止面８４と、第２被係止面７６および第２係止面８６とが、それぞれ連結方向に対向して係合されるので、雄バックル部７および雌バックル部８が係合され、バックルが連結される。
【００２６】
一方、この連結状態のバックルを分離させるには、指などで第１凸部７３の上面を下方へ押圧する。すると、舌状部７２は、下方へ下がるように変形される。このとき、第１被係止面７４と第１係止面８４との係合、および、第２被係止面７６と第２係止面８６との係合が解除される。次に、このように第１凸部７３を押圧したまま、第１凸部７３を基端側へずらし、雄バックル部７および雌バックル部８を分離する方向に移動させると、舌状部７２は、差込孔８２を通って先端側開口から引き出され、バックルは雄バックル部７と雌バックル部８とにより分離する。なお、バックルは上記に限定されず、種々のバックルが適用可能である。例えば、ＹＫＫ株式会社製  ＬＢ−ＦＲ超小型バックルをはじめとするフロントリリース式のバックルや、サイドリリース式のバックルなど種々のバックルが適用可能である。
【００２７】
次に靴カバー１の装着方法について図５を参照して説明する。
【００２８】
まず、装着前の準備として、靴カバー１のバックルの分離、更に綿ファスナー１１と綿ファスナー１４及び綿ファスナー１２と綿ファスナー１３とをそれぞれ分離しておく。この状態で、ズボン３００の裾を捲り上げて、靴の爪先部分をカバー部１０とゴムバンド５との間に挿入する。次に、綿ファスナー１３と綿ファスナー１２とを係合し、その次に綿ファスナー１４と綿ファスナー１１とを係合する。次いで、バックル付きバンド６の雄バックル部７と雌バックル部８を嵌合した後、ズボン３００の裾を降ろす。これにより靴カバー１の装着が終了する。なお、綿ファスナー１１、１４、１２、１３の係合順は、上記に限定されるものではなく、綿ファスナー１４と綿ファスナー１１とを係合し、その次に綿ファスナー１３と綿ファスナー１２とを係合するようにしてもよい。また、踵側において第２アッパーカバー片３の上に第１アッパーカバー片２が一部重なるようにすれば、靴カバー１を滴り落ちる雨滴の浸入を効果的に防止することが可能となる。
【００２９】
一方、靴カバー１を外すときは、例えば、上記装着作業を後方側から実行すればよい。具体的には、バックルを外し、ズボンを捲り上げた後、綿ファスナー１１を綿ファスナー１４から外し、次いで綿ファスナー１２を綿ファスナー１３から外し、ゴムバンド５から靴を引き抜けば靴カバー１は足及び靴から外れる。
【００３０】
このように、本発明の靴カバー１においては、バックル付きバンド６を設けたことにより取り外しが楽にできる。また、ゴムバンド５を靴の爪先側に設けたことから爪先側において靴カバー１の浮き上がりを防止することができる。更に、ゴムバンド５とバックル付きバンド６とにより靴カバー１を靴底に対し止めるように構成したことから、靴カバー１がしっかりと靴に対し装着可能となる。
【図面の簡単な説明】
【００３１】
【図１】本発明の靴カバーの使用状態を示す平面図。
【図２】本発明の靴カバーを構成する第１のシート及び第２のシートを示す分解図であり、（ａ）は第２のシートの平面図、（ｂ）及び（ｃ）は第１のシートの平面図。
【図３】本発明の靴カバーを構成するバックルを示す図であり、（ａ）は雄バックル部を示す斜視図、（ｂ）は雌バックル部を示す斜視図。
【図４】本発明の靴カバーを構成するバックルの結合状態を示す断面図。
【図５】本発明の靴カバーの取り付け方を説明するための平面図。
【符号の説明】
【００３２】
１  靴カバー
１０  カバー部
１０Ａ  開口部
２  足首カバー片
３  第１アッパーカバー片
４  第２アッパーカバー片
５  ゴムバンド（第１のバンド）
６  バックル付きバンド（第２のバンド）
６Ａ  第１のゴムバンド
６Ｂ  第２のゴムバンド
７  雄バックル部
７１  雄バックル部本体
７１２  ガイド脚
７１３  脚部
７１４  受け面
７２  舌状部
７３  第１凸部
７４  第１被係止面
７５  第２凸部
７６  第２被係止面
８  雌バックル部
８１  雌バックル部本体
８１５  抑え片
８２  差込孔
８３  第１段部
８４  第１係止面
８５  第２段部
８６  第２係止面
９  靴底
１１、１２、１３、１４  綿ファスナー
１５、１６、１７、１８、１９  縫製部
１００  足
２００  靴のアッパー
２０１  踵底部
２０２  爪先底部
３００  ズボン
４００  雨
Ｌ  折り線
【図１】
2008149046.tif 000003
【図２】
2008149046.tif 000004
【図３】
2008149046.tif 000005
【図４】
2008149046.tif 000006
【図５】
2008149046.tif 000007